(57)【要約】【課題】エアマッサージ機において、エアバルブの吸排気部が、向かい合うエアバッグ素材と密着して、ポンプからの吸気または排気が困難となることを防止する構造を提供することを目的とする。【解決手段】本発明は、エアバルブにより空気袋を吸排気させるエアマッサージ機において、上記エアバルブの吸排気部と対向するエアバッグ素材に凹凸形状を設けた。さらに、前記凹凸形状が、エアバッグ素材に凹凸のある素材を溶着して形成したもの、あるいは前記凹凸形状が、エアバッグ素材自体に凹凸を形成したものである。【選択図】　　　図３
2004081709.tif 000002
【特許請求の範囲】
【請求項１】
エアバルブにより空気袋を吸排気させるエアマッサージ機において、
上記エアバルブの吸排気部と対向するエアバッグ素材に凹凸形状を設けたことを特徴とするエアマッサージ機。
【請求項２】
前記凹凸形状が、エアバッグ素材に凹凸のある素材を溶着して形成したことを特徴とする前記請求項１記載のエアマッサージ機。
【請求項３】
前記凹凸形状が、エアバッグ素材自体に凹凸を形成したものであることを特徴とする前記請求項１記載のエアマッサージ機。
【発明の詳細な説明】
【０００１】
【発明の属する技術分野】
本発明は、外部の空気供給ポンプ装置から供給される加圧空気により膨張収縮変形するエアマッサージ機に関し、特に、その吸排気部の構造に関するものである。
【０００２】
【従来の技術】
従来、例えばエアバルブにより空気袋を吸排気させるエアマッサージ機として、特開２００１−１５７７００号公報のものや腕用エアマッサージ機（特願２００２−１３１０４６号）等が同じ出願人から提案されている。
【０００３】
このような外部の空気供給ポンプ装置から供給される加圧空気により膨張収縮変形するエアマッサージ機において、排気時エアバルブの吸排気部が向かい合うエアバッグ素材と密着して吸排気部が塞がれ、空気の流通路が無くなり、ポンプからの吸気または排気が困難となることがよく生じる。
【０００４】
これを改善するものとして、特開平１０−２０１８０４号公報が公知である。以下、上記特開平１０−２０１８０４号公報の概要を図５を用いて説明する。
上記従来例の接続具４０は、図５に示すように、内部に貫通孔４３が形成されるとともに先端側にエアーホースが接続される接続部４２が形成されたＬ字状の接続管４１と、この接続管４１の基部に設けられた円盤状のフランジ部４４から構成されている。また、前記接続管４１の貫通孔４３は前記フランジ部４４に符号４５で示すように開口している。そして、前記フランジ部４４の前記接続管４１側の面は取着面４４ａとなっており、また、この取着面と反対側の面は非取着面４４ｂとなっており、これら取着面４４ａおよび非取着面４４ｂとは平坦面に形成されている。
【０００５】
そして、前記接続管４１の基部を前記シート部材３１に形成した貫通孔３１ａに挿通するとともに前記取着面４４ａを前記シート部材３１の内側面に接着等により接着することにより、シート部材３１つまりエアーバッグ１１ａの前記略中央部に気密的に取着されるものである。
【０００６】
また、前記フランジ部４４の非取着面４４ｂには複数の凸部４４ｃが形成されており、この凸部４４ｃは前記開口４５の周囲に点在させて形成されるとともに、前記接続部４２が突出している方向の領域つまり接続部４２のフランジ部４４に対して投影される領域およびこの領域の周辺領域に、開口４５の中心Ｏを中心として放射状に点在させて形成されている。
【０００７】
そして、前記フランジ部４４の非取着面４４ｂに前記凸部４４ｃを形成したことから、エアーバッグ１１ａが収縮して偏平状態となったとしても、前記フランジ部４４の非取着面４４ｂはシート部材３２と密着することはなく、つまり凸部４４ｃの略高さ寸法だけの間隙Ｇが形成されるものである。したがって、前記開口４５はエアーバッグ１１ａが収縮して偏平状態となっている場合においても、シート部材３２によって密閉状態に閉塞されることはなく、開口４５の周縁には常時つまりエアーバッグ１１ａが収縮して偏平状態となった場合においても前記間隙Ｇが形成されていることになる。このため前記図示しないエアー供給手段によってエアーの供給が開始されると、このエアーは供給開始と同時につまり即座に間隙Ｇを介してエアーバッグ１１ａの内部に流がれ込むことができるものである。したがって、従来のようにエアーの供給の開始時に互いに密着しているフランジ部とシート部材とをエアーの圧力によって離間させて間隙を形成するという過程を経ることなく、エアーはエアーバッグ１１ａ内に供給つまり流入することができるものでありエアーのエアーバッグ１１ａ内への流入はスムーズになされるものである。
【０００８】
しかし、上記接栓側に空気流通路用のリブを設ける構造には、以下の欠点がある。
（１）リブの構造が複雑であり、接栓全体を一体成形とする場合、金型が複雑となり、製造コストが高くなる。
（２）リブの形成箇所が接栓の範囲内に限られ、接栓から少し外方にはずれた箇所でのシートの密着による閉塞に対応できない。
【０００９】
【発明が解決しようとする課題】
本発明は、外部の空気供給ポンプ装置から供給される加圧空気により膨張収縮変形するエアマッサージ機に関し、特に、該エアマッサージ機において、エアバルブの吸排気部が、向かい合うエアバッグ素材と密着して、ポンプからの吸気または排気が困難となることを防止する構造を提供することを目的とする。
【００１０】
【課題を解決するための手段】
本発明は、上記目的を達成するために、エアバルブにより空気袋を吸排気させるエアマッサージ機において、
上記エアバルブの吸排気部と対向するエアバッグ素材に凹凸形状を設けたことを特徴とする。
【００１１】
さらに、前記凹凸形状が、エアバッグ素材に凹凸のある素材を溶着して形成したこと、あるいは前記凹凸形状が、エアバッグ素材自体に凹凸を形成したものであることを特徴とする。
【００１２】
【発明の実施の形態】
以下、本発明を図１〜図４に示す実施の形態に基づいて詳述する。
図１は本発明の実施の形態における腕用エアマッサージ機のエアバッグの外観上面図、図２は図１に示すエアマッサージ機の接栓部に対向するマッサージ袋の素材の断面図、図３は、図１の接栓部の拡大された横断面図、図４は同じく図１の接栓部の他の実施例の拡大された横断面図を示す。
【００１３】
なお、この発明は、図６に示されるような足のエアマッサージ機や図７の腕用エアマッサージ機のエアバッグの吸排気口５０〜５３に用いられるが、前記特開平１０−２０１８０４号公報記載の如きエアマット式マッサージ機の吸排気口に用いられてもよい。また、この発明の接栓部構造は、エアの出し入れが頻繁なエアマッサージ機に用いると効果が著しいが、吸排気に困難を感じる場合、通常のエアマットや浮き輪等の、エアバッグを使用する他のものにも適用可能である。
【００１４】
これらエアマッサージ機は、図示されない外部の空気供給ポンプ装置の給排制御により供給される加減圧制御される空気により膨張、収縮変形することで、手や足を圧迫するエアバッグ（空気袋体）を有する。
【００１５】
なお、図７における５４は、手部空気袋体部の手の甲側の外側面における空気の給排気による形状変動の少ない中央部位に設けられた空気供給ポンプ装置のスイッチ等をＯＮ，ＯＦＦするのに使用される操作補助用の突起である。これにより、腕用エアマッサージ機を装着した後に手先の自由が利かない状態になっても、突起５４を空気供給ポンプ装置に設けた操作パネルに向け、そこに設けた各種のスイッチを押す操作を行え、腕用エアマッサージ機１を装着したままでも、空気供給ポンプ装置の操作が容易に行えるようにしている。なお、図７の手先部エアバッグにおいては、エアバルブを中央に配置して上記操作補助用の突起５４
を兼ねた構造となっている。
【００１６】
上記エアバッグ（空気袋体）は、屈曲と伸縮が自在な素材、例えば外側をナイロン等の生地で、内側を気密性を持たせるために塩化ビニールやポリウレタン等の生地でそれぞれ形成されたものが使用される。そして、外側生地と内側生地の周縁部を互いに溶着する等して接着加工し、加圧空気が導入されても外部に加圧空気が漏洩しないように気密性を保持できる空気室として形成される。
【００１７】
エアマッサージ機を装着し終えた後は、各給排気口５０〜５３等から加圧空気を供給する。給排気口５０〜５３等には、空気供給ポンプ装置からの加圧空気を給排するホースが脱着自在に取り付けられる。これにより、空気供給ポンプ装置から圧力、給排タイミング等を制御された加圧空気が各給排気口に供給され、空気袋体が個別に膨張・収縮変形をする。
【００１８】
こうして、空気供給ポンプ装置から加圧空気が供給される場合、空気袋体はリング状等に膨張し、腕部や足部を周囲から圧迫する。
図１は、例えば図６におけるエアバッグ部分５５を扁平状に広げた上面図である。図２は、吸排気用接栓２に対向する上記空気袋の内面に設けた凹凸の例を示す横断面図である。図３，図４は、図１におけるＡ−Ａ’部分の横断面図を示す。
【００１９】
図３，図４に示す如く、吸排気接栓の対向する空気袋内面には凹凸４，８が形成されているので、排気時に上記空気袋内面が吸排気口にぴったり密着してしまっても、上記凹凸部の隙間から吸排気ができるため
吸排気が容易となり、空気流通路が閉塞されて吸排気が困難となる事態を避けることができる。
【００２０】
また、この凹凸は、袋素材の方に形成されるため、吸排気接栓の構造を汎用の単純な構造のものを用いることができるため、新たに金型を作る等の必要がなく、製造コスト面での節約ができる。袋素材の凹凸は、別途作成された凹凸素材を平坦な膜素材に溶着して形成してもいいし、あるいは膜自体に凹凸を形成した膜素材を部分的に、あるいは全面に用いてもよい。あるいは、上記凹凸は、平坦状の膜素材に熱プレス等により凹凸を形成してもよい。
【００２１】
上記凹凸を膜素材の方に形成することにより、凹凸の存在する部分を接栓部分に限られず、空気流通路の閉塞される可能性のある他の部分にも形成することができる。このことにより、例えば長方形のエアバッグの長手方向とか、あるいは屈曲部分の膜素材が密着し易い部分にも上記凹凸を形成することができる。このことにより、前記従来例では実現できない、吸排気接栓部以外の箇所での閉塞防止もできる顕著な効果が生じる。
【００２２】
【発明の効果】
以上説明したように、この発明は、エアバルブの吸排気部と対向するエアバッグ素材に凹凸形状を設けたことにより、製造コストの安い構造により吸排気における閉塞状態を回避することが実現できた。また、該構造は、吸排気口の近辺のみならず、中の方まで形成可能であり、従来より上記閉塞状態を回避する効果が高い。
【図面の簡単な説明】
【図１】本発明の実施の形態における腕用エアマッサージ機のエアバッグの外観上面図である。
【図２】図１に示すエアマッサージ機の接栓部に対向するマッサージ袋の素材の断面図である。
【図３】図１の接栓部の拡大された横断面図である。
【図４】同じく図１の接栓部の他の実施例の拡大された横断面図である。
【図５】従来の閉塞を防止する吸排気口の構造を示す図である。
【図６】この発明の適用される足用エアマッサージ機の例を示す図である。
【図７】この発明の適用される腕用エアマッサージ機の例を示す図である。
【符号の説明】
１　　　エアバッグ
２　　　吸排気口
３　　　凹凸形成部
４　　　凹凸部
５　　　空気袋素材
６　　　吸排気口
７　　　吸排気接栓固着部
８　　　凹凸形成部
【図１】
2004081709.tif 000003
【図２】
2004081709.tif 000004
【図３】
2004081709.tif 000005
【図４】
2004081709.tif 000006
【図５】
2004081709.tif 000007
【図６】
2004081709.tif 000008
【図７】
2004081709.tif 000009